(57)【特許請求の範囲】
【請求項１】
複数の省電力モードを有する携帯電話機であって、
電池残量を検出する電池残量検出手段と、
前記電池残量検出手段が検出した電池残量が第１の閾値を越えているときには、前記複数の省電力モードのうち、所定の構成部品に供給される駆動電流を低減させ、前記構成部品以外のユーザが使用可能な機能を限定しない省電力モードを選択する省電力モード選択手段と、
駆動電流を低減させる前記構成部品を選択する部品選択手段とを備え、
前記部品選択手段による選択対象の構成部品には、液晶のバックライトが含まれ、
前記省電力モード選択手段は、電池残量が第１の閾値以下になると、所定の機能を制限する省電力モードを選択する
ことを特徴とする携帯電話機。
【請求項２】
省電力制御手段は、電池残量が第１の閾値よりも高い第２の閾値以下である場合に、所定の構成部品に供給される駆動電流を低減させる省電力モードを選択する
請求項１記載の携帯電話機。
【請求項３】
部品選択手段による選択対象の構成部品には、スピーカが含まれている
請求項１または請求項２記載の携帯電話機。
【請求項４】
複数の省電力モードを有する携帯電話機における省電力モード切替方法であって、
電池残量を検出し、
検出された電池残量が第１の閾値を越えているときには、前記複数の省電力モードのうち、所定の構成部品に供給される駆動電流を低減させ、前記構成部品以外のユーザが使用可能な機能を限定しない省電力モードを選択し、
駆動電流を低減させる前記構成部品として、液晶のバックライトを含む構成部品を選択し、
電池残量が第１の閾値以下になると、所定の機能を制限する省電力モードを選択する
ことを特徴とする省電力モード切替方法。
【請求項５】
複数の省電力モードを有する携帯電話機に備えられたコンピュータに、
電池残量を検出する処理と、
検出された電池残量と第１の閾値とを比較する処理と、
検出された電池残量が第１の閾値を越えているときには、前記複数の省電力モードのうち、所定の構成部品に供給される駆動電流を低減させ、前記構成部品以外のユーザが使用可能な機能を限定しない省電力モードを選択する処理と、
駆動電流を低減させる前記構成部品として、液晶のバックライトを含む構成部品を選択する処理と、
電池残量が第１の閾値以下になると、所定の機能を制限する省電力モードを選択する処理とを実行させるための
省電力モード切替プログラム。
【発明の詳細な説明】
【技術分野】
【０００１】
本発明は、複数の省電力モードを有する携帯電話機、省電力モード切替方法および省電力モード切替プログラムに関する。
【背景技術】
【０００２】
携帯電話機は、通話機能以外に、カメラ機能やゲーム機能、およびその他のアプリケーションプログラム等の多機能を備えてきている。このような多機能を備えた携帯電話機では、一般に消費電力も増加し、その結果、携帯電話機の使用可能時間が減少してしまう。そこで、携帯電話機に、使用可能時間を長くするために省電力機能が備えられることがある。
【０００３】
特許文献１には、電源状態に基づいてユーザが指定した機能を自動的に制限する省電力機能を備えた電子装置が記載されている。特許文献１に記載された電子装置は、電源状態が所定の状態になった場合に、ユーザが事前に指定した機能を制限することによって、消費電力を低減することができる。
【先行技術文献】
【特許文献】
【０００４】
【特許文献１】特開２００６−３５２４７９号公報（段落００２１、段落００３０）
【発明の概要】
【発明が解決しようとする課題】
【０００５】
しかし、特許文献１に記載された電子装置では、省電力機能の実施において、ユーザが指定したいくつかの機能が使用を制限されてしまう。また、一般に、機能によって消費電力は異なるので、ユーザが省電力効果に貢献する機能を制限するとは限らない。ユーザが省電力効果を期待して機能の制限を指定しても、指定された機能が元々消費電力が少ない機能であった場合には、機能を制限しても携帯電話機の消費電力を低減することはできない。
【０００６】
そこで、本発明は、確実に消費電力を低減することができる省電力モードを備えた携帯電話機、省電力モード切替方法および省電力モード切替プログラムを提供することを目的とする。
【課題を解決するための手段】
【０００７】
本発明による携帯電話機は、複数の省電力モードを有する携帯電話機であって、電池残量を検出する電池残量検出手段と、電池残量検出手段が検出した電池残量が第１の閾値を越えているときには、複数の省電力モードのうち、所定の構成部品に供給される駆動電流を低減させ、前記構成部品以外のユーザが使用可能な機能を限定しない省電力モードを選択する省電力モード選択手段と、駆動電流を低減させる前記構成部品を選択する部品選択手段とを備え、前記部品選択手段による選択対象の構成部品には、液晶のバックライトが含まれ、前記省電力モード選択手段は、電池残量が第１の閾値以下になると、所定の機能を制限する省電力モードを選択することを特徴とする。
【０００８】
本発明による省電力モード切替方法は、複数の省電力モードを有する携帯電話機における省電力モード切替方法であって、電池残量を検出し、検出された電池残量が第１の閾値を越えているときには、複数の省電力モードのうち、所定の構成部品に供給される駆動電流を低減させ、前記構成部品以外のユーザが使用可能な機能を限定しない省電力モードを選択し、駆動電流を低減させる前記構成部品として、液晶のバックライトを含む構成部品を選択し、電池残量が第１の閾値以下になると、所定の機能を制限する省電力モードを選択することを特徴とする。
【０００９】
本発明による省電力モード切替プログラムは、複数の省電力モードを有する携帯電話機に備えられたコンピュータに、電池残量を検出する処理と、検出された電池残量と第１の閾値とを比較する処理と、検出された電池残量が第１の閾値を越えているときには、複数の省電力モードのうち、所定の構成部品に供給される駆動電流を低減させ、前記構成部品以外のユーザが使用可能な機能を限定しない省電力モードを選択する処理と、駆動電流を低減させる前記構成部品として、液晶のバックライトを含む構成部品を選択する処理と、電池残量が第１の閾値以下になると、所定の機能を制限する省電力モードを選択する処理とを実行させることを特徴とする。
【発明の効果】
【００１０】
本発明によれば、確実に消費電力を低減できる省電力モードを実現することができる。
【図面の簡単な説明】
【００１１】
【図１】本発明による携帯電話機の第１の実施形態の構成を示すブロック図である。
【図２】図１に示す携帯電話機の各モードにおける詳細な機能設定の一例を示す説明図である。
【図３】図１に示す携帯電話機における省電力モードの動作を示すフローチャートである。
【図４】本発明による携帯電話機の主要部を示すブロック図である。
【発明を実施するための形態】
【００１２】
実施形態１．
図１は、本発明による携帯電話機の第１の実施形態（実施形態１）の構成を示すブロック図である。図１を参照して、本発明の第１の実施形態の携帯電話機の構成を説明する。
【００１３】
図１に示す携帯電話機は、アンテナ１０、送受信部１１、通信制御部１２、ＲＯＭ１３、ＲＡＭ１４、制御部１５、状態監視部１６、入力部１７、スピーカ１８、表示部１９、表示部２０および電池２１を備えている。図１に示す携帯電話機は、制御部１５によって制御される複数の省電力モードを有する。
【００１４】
送受信部１１は、アンテナ１０を介して通話および通信における信号を送受信する。通信制御部１２は、制御部１５の制御に従って、通話および通信の際に送受信部１１を制御する。
【００１５】
ＲＯＭ１３およびＲＡＭ１４は、制御部１５の制御に従ってデータを格納する。制御部１５は、図１に示す携帯電話機の各部および省電力モードを制御する。制御部１５は、例えば、プログラムに従って制御を行うＣＰＵである。
【００１６】
状態監視部１６は、電池２１の電池残量を監視し、その電池残量を示す情報（電池レベル）を制御部１５に出力する。例えば、電池２１が一般的な充電式バッテリであった場合に、電池レベルは、電池２１がフル充電されている状態を電池レベル１００％として、０〜１００％の間で示される。
【００１７】
入力部１７は、ユーザによるキー操作に応じた入力信号を制御部１５に出力する。スピーカ１８は、着信音や通話音声を出力する。
【００１８】
表示部１９は、メニュー表示やテキスト表示等を行う液晶表示装置による主表示部であり、表示部２０は、時刻表示や着信表示等を行う副表示部である。表示部２０は、設けられていなくてもよい。また、表示は、３つ以上設けられていてもよい。表示部１９および表示部２０の少なくとも１つは、表示輝度を変更することができる。例えば、第１の実施形態の携帯電話機では、表示部１９の表示輝度を４段階（レベル４〜レベル１）に変更することができるとする。レベル４は、最も明るい表示輝度を示し、レベル１は最も暗い表示輝度を示す。具体的には、例えば、表示部１９のバックライト（図示せず）に対する駆動電流を増減することによって輝度を制御し、表示部１９の表示輝度を変更する。
【００１９】
図１に示す携帯電話機は、省電力モードの機能選択キー（ＥＣＯモード起動キー）（図示せず）および省電力モードの機能解除キー（ＥＣＯモード解除キー）（図示せず）を備えている。ＥＣＯモードとは、ＥＣＯモード起動キーの押下によって省電力モードが選択された際に、電池レベルが例えば１００〜２１％を示すときに実施される省電力モードである。また、エマージェンシーモードとは、ＥＣＯモード起動キーの押下によって省電力モードが選択された際に、電池レベルが例えば２０％以下を示すときに実施される省電力モードである。省電力モードの機能選択キーが押下された際に、どの省電力モードに移行するかを判定する閾値（例えば、第１の実施形態の携帯電話機では、電池レベル２０％に相当）は、ＲＯＭ１３に格納されている。なお、この実施形態では、電池レベルは、１％単位で表されている。
【００２０】
ＥＣＯモード解除キーが押下されると、ＥＣＯモードまたはエマージェンシーモードは解除される。なお、ＥＣＯモード解除キーを備えずに、ＥＣＯモード起動中またはエマージェンシーモード起動中にＥＣＯモード起動キーが押下されると、当該省電力モードか解除されるような構成であってもよい。
【００２１】
図２は、図１に示す携帯電話機の各モードにおける詳細な機能設定の一例を示す説明図である。図２を参照して、図１に示す携帯電話機における省電力モードについて説明する。
【００２２】
図２に示す通常モードは、省電力モードが選択されていない時の携帯電話機に適用される。通常モードにおける各機能は、例えば、出荷時に設定されている。なお、ユーザによって通常モードの設定内容が変更された場合には、ユーザによって変更された設定内容を通常モードの設定内容とする。
【００２３】
図２に示すＥＣＯモードでは、通常モードの設定内容から、照明設定（例えば、表示部１９の表示輝度に相当）を２段階暗くする変更を行う。具体的には、制御部１５は、表示部１９のバックライトに対する駆動電流が低減するように制御し、表示部１９の表示輝度を２段階暗くする。その他の設定内容は、通常モードの設定内容と同じとする。表示部１９の表示輝度が暗くなっても、ユーザが使用可能な機能は限定されない。すなわち、ＥＣＯモードは、使用可能な機能を制限することなく、消費電力を軽減する省電力モードである。なお、ＥＣＯモードの実施中に、例えば、表示部１９が、ＥＣＯモードの実施中であることを表示してもよい。なお、制御部１５は、バックライトに対する駆動電流が低減するように制御するときに、バックライトに電流を供給する回路に対して、駆動電流を下げるような指示信号を出力する。また、例えば、２段階暗くする場合には、一例として駆動電流を２０％低下させる（省電力モードではないときの２０％減）指示信号を出力する。
【００２４】
図２に示すエマージェンシーモードでは、ＥＣＯモードの設定内容から、照明設定をさらに１段階暗くする変更を行う。その他の設定内容は、例えば、背面液晶（例えば、表示部２０とする）の表示、イルミネーション機能、入力確認音などをオフにする。エマージェンシーモードは、電池残量が極端に少ない状態になった場合に、使用可能な機能を限定することによって省電力効率を重視する省電力モードである。なお、エマージェンシーモードの実施中には、例えば、表示部１９が、エマージェンシーモードの実施中であることを表示してもよい。
【００２５】
図３は、図１に示す携帯電話機における省電力モードの動作を示すフローチャートである。図３を参照して、図１に示す携帯電話機における省電力モード（ＥＣＯモードおよびエマージェンシーモード）の動作を説明する。
【００２６】
まず、通常モードである待ち受け状態において（ステップＳ１１）、ユーザによってＥＣＯモード起動キーが押下されると（ステップＳ１２のＹ）、入力部１７はＥＣＯモード起動キー押下に応じた入力信号を制御部１５に出力する。ユーザによってＥＣＯモード起動キーが押下されなかった場合には（ステップＳ１２のＮ）、ステップＳ１１における待ち受け状態が続く。
【００２７】
入力部１７がＥＣＯモード起動キー押下に応じた入力信号を制御部１５に出力すると、制御部１５は、状態監視部１６に電池２１の電池レベルを確認する（ステップＳ１３）。ステップＳ１３において電池レベルが１００〜２１％を示す場合には、制御部１５は、ＥＣＯモードを起動し（ステップＳ１４）、表示部１９のバックライトに対する駆動電流を低減し、表示部１９の表示輝度を２段階暗くする。
【００２８】
ステップＳ１４においてＥＣＯモードが起動されると、制御部１５は、所定のタイミングで状態監視部１６に電池２１の電池レベルを確認する（ステップＳ１５）。電池レベルが１００〜２１％を示している間は、制御部１５は、ＥＣＯモードを継続し（ステップＳ１６）、さらに、ユーザによってＥＣＯモード解除キーが押下されるまでは（ステップＳ１７のＮ）、ＥＣＯモードを維持する。
【００２９】
ステップＳ１３またはステップＳ１５において電池レベルが２０％以下を示す場合には、制御部１５は、エマージェンシーモードを起動し（ステップＳ１８）、表示部１９のバックライトに対する駆動電流をＥＣＯモードよりもさらに１段階暗くなるように低減し、所定の機能をオフにする。
【００３０】
ステップＳ１８においてエマージェンシーモードが起動されると、制御部１５は、所定のタイミングで状態監視部１６に電池２１の電池レベルを確認する（ステップＳ１９）。電池レベルが２０％以下を示している間は、制御部１５は、エマージェンシーモードモードを継続し（ステップＳ２０）、さらに、ユーザによってＥＣＯモード解除キーが押下されるまでは（ステップＳ２１のＮ）、エマージェンシーモードを維持する。
【００３１】
エマージェンシーモード中に携帯電話機の充電が行われた場合には、電池レベルが回復することが考えられる。ステップ１９において電池レベルが１００〜２１％を示す場合には（ステップＳ１９のＮ）、制御部１５は、ＥＣＯモードを起動する。
【００３２】
ＥＣＯモード中またはエマージェンシーモード中に、ユーザによってＥＣＯモード解除キーが押下されると（ステップＳ１７のＹ、またはステップＳ２１のＹ）、入力部１７はＥＣＯモード解除キー押下に応じた入力信号を制御部１５に出力する。入力部１７がＥＣＯモード解除キー押下に応じた入力信号を制御部１５に出力すると、制御部１５は、通常モードを起動する（ステップＳ２２）。
【００３３】
このような携帯電話機では、省電力機能（ＥＣＯモード）を選択することによって、表示部１９の輝度を下げるので、表示部１９の画面は暗くなるが、ユーザが使用可能な機能を減らすことなく省電力効果が期待でき、消費電力を低減することができる。
【００３４】
さらに、このような携帯電話機では、省電力機能を選択した際に電池残量が極端に少ない場合には、ユーザが使用可能な機能をいくつか制限して省電力効果を重視する省電力モード（エマージェンシーモード）に自動的に移行するので、より高い省電力効果を期待することができ、携帯電話機の使用可能時間をさらに延ばすことができる。
【００３５】
なお、第１の実施形態において、どの省電力モードに移行するかを判定する電池レベル２０％という閾値は、一例であって、他の値であってもよい。
【００３６】
実施形態２．
本発明による携帯電話機の第２の実施形態（実施形態２）の構成について説明する。第２の実施形態の携帯電話機の構成は、図１に示す第１の実施形態の携帯電話機の構成と同じである。
【００３７】
第２の実施形態の携帯電話機では、制御部１５は、所定のタイミングで状態監視部１６に電池２１の電池レベルを確認する。そして、電源レベルに応じて、自動的に省電力モードの切り替えを行う。
【００３８】
制御部１５は、例えば、電池レベルが１００〜６１％を示す場合には通常モードを、電池レベルが６０〜２１％を示す場合には第１の省電力モード（例えば、ＥＣＯモードに相当）を、電池レベルが２０％以下を示す場合には第２の省電力モード（例えば、エマージェンシーモードに相当）を選択する。第１の省電力モードは、ユーザが使用可能な機能を減らすことなく省電力効果をあげるように設定される。第２の省電力モードは、ユーザが使用可能な機能のいくつかを制限し、第１の省電力モードよりも高い省電力効果を実現するために設定される。なお、省電力モードは２つ以上存在してもよいし、省電力モードを切り替える閾値は任意に設定してもよい。
【００３９】
このような携帯電話機では、電池残量に応じて通常モードから第１の省電力モードに自動的に切り替え、電池残量が極端に少ない状態においては、より省電力効果の高い第２の省電力モードに自動的に切り替えることができるので、ユーザが手動で省電力設定を行わなくても携帯電話機の消費電力を低減することができる。
【００４０】
なお、第１の実施形態におけるＥＣＯモードおよび第２の実施形態の携帯電話機における第１の省電力モードでは、スピーカの音量を通常の設定音量よりも下げる制御を行ってもよい。具体的には、例えば、スピーカ１８の構成部品に対する駆動電流を低減することによって、スピーカの音量を変更する。このような携帯電話機では、警告音や呼び出し音などの音量が下げられるが、ユーザが使用可能な機能を減らすことなく、省電力効果を期待することができる。
【００４１】
また、第１の実施形態におけるＥＣＯモードおよび第２の実施形態の携帯電話機における第１の省電力モードでは、具体的に駆動電流を低減させる構成部品（例えば、表示部１９およびスピーカ１８）をユーザが選択できるように構成してもよい。例えば、制御部１５が、表示部１９に、選択可能な複数の構成部品を示すデータを出力する。表示部１９は、制御部１５から入力したデータに従って構成部品を構成部品を示す情報を表示する。ユーザが、入力部１７を介して構成部品を指定すると、制御部１５は、指定された構成部品を、駆動電流を低減させる構成部品とする。このような携帯電話機では、省電力モードの実施時に、ユーザは、好みや事情に応じて駆動電流を低減させる構成部品を選択することができる。
【００４２】
なお、第２の実施形態において、どの省電力モードに移行するかを判定する電池レベル２０％および電池レベル６０％という閾値は、一例であって、他の値であってもよい。
【００４３】
図４は、本発明による携帯電話機の主要部を示すブロック図である。図４に示すように、携帯電話機１は、複数の省電力モードを有する携帯電話機であって、電池残量を検出する電池残量検出手段２（例えば、図１に示す状態監視部１６に相当）と、電池残量検出手段２が検出した電池残量が第１の閾値（例えば、第１の実施形態における電池レベル２０％に相当）を越えているときには、複数の省電力モードのうち、所定の構成部品（例えば、図１に示す表示部１９に相当）に供給される駆動電流を低減させる省電力モード（例えば、第１の実施形態におけるＥＣＯモードに相当）を選択する省電力モード選択手段３（例えば、図１に示す制御部１５に相当）とを備えている。
【００４４】
また、上記の各実施形態では、以下の（１）〜（５）に示すような携帯電話機も開示されている。
【００４５】
（１）省電力モード選択手段は、電池残量が第１の閾値以下になると、所定の機能を制限する省電力モード（例えば、第１の実施形態におけるエマージェンシーモードに相当）を選択する（例えば、図２のステップＳ１３、Ｓ１８の処理によって実現される。）携帯電話機。
【００４６】
（２）省電力制御手段は、電池残量が第１の閾値よりも高い第２の閾値（例えば、第２の実施形態における電池レベル６０％に相当）以下である場合に、所定の構成部品に供給される駆動電流を低減させる省電力モードを選択する携帯電話機。
【００４７】
（３）駆動電流を低減させる構成部品を選択する部品選択手段（例えば、図１に示す制御部１５によって実現される。）を備えた携帯電話機。
【００４８】
（４）部品選択手段による選択対象の構成部品には、液晶のバックライト（例えば、図１に示す表示部１９のバックライトに相当）が含まれている携帯電話機。
【００４９】
（５）部品選択手段による選択対象の構成部品には、スピーカ（例えば、図１に示すスピーカ１８に相当）が含まれている携帯電話機。
【符号の説明】
【００５０】
１    携帯電話機
２    電池残量検出手段
３    省電力制御手段
１０  アンテナ
１１  送受信部
１２  通信制御部
１３  ＲＯＭ
１４  ＲＡＭ
１５  制御部
１６  状態監視部
１７  入力部
１８  スピーカ
１９  表示部
２０  表示部
２１  電池
【図１】
0005493722.tif 000002
【図２】
0005493722.tif 000003
【図３】
0005493722.tif 000004
【図４】
0005493722.tif 000005